(57)【要約】      （修正有）【課題】電気無しでも水があれば何時でも何処でも場所を選ばず使用出来、便秘解消、各種難病防止、清潔を保ち感染症予防にも役立ち、柔らかポリ製で小さくたため、収納も超小型化に出来、持ち歩き出来るシャワートイレを提供する。【解決手段】柔らかポリ製水タンクとタンク蓋に取り付けた螺旋ホースと伸縮できるパイプに可動式の固定するステイを取り付け湾曲弓形の先端の噴水口で構成する携帯型超小型のシャワートイレ。手動式で水があれば電気が無くとも時と場所を選ばず使用するために持ち歩けるように小型に折りたためる柔らかポリ製水タンクにし、水タンクを手で握り潰し水圧を自由に調整し、伸縮する湾曲弓形に曲げたパイプの先端から的に噴水させ汚れを除去する。【選択図】図２
0003171289.tif 000002
【実用新案登録請求の範囲】
【請求項１】
柔らかポリ製水タンクとタンク蓋に取り付けた螺旋ホースと伸縮できるパイプに可動式の固定するステイを取り付け湾曲弓形の先端の噴水口で構成する携帯型超小型のシャワートイレ。
【考案の詳細な説明】
【技術の分野】
【０００１】本考案は握り潰せる柔らかポリ製水タンク容器と伸縮パイプで構成し、水タンクを手で握り潰す圧力で噴水圧を自由に調整でき、手動式のため電気無しでも水があれば何時でも何処でも場所を選ばず使用出来、便秘解消、各種難病防止、清潔を保ち感染症予防にも役立ち、柔らかポリ製で小さくたため、収納も超小型化に出来、持ち歩き出来るシャワートイレである。
【背景技術】
【０００２】現在の日本ではシワー式便器の設置は大分普及されているがまだまだ水洗式でも旧式で特に農家では今でも畑で野菜などの肥料にするために溜式が多いのである。
【先行技術文献】
【特許文献】
【０００３】
【特許文献ｉ】
【特許文献２】
【非特許文献】
【０００４】
【非特許文献１】
【非特許文献２】
【考案の概要】
【本考案が解決しょうとする課題】
【０００５】人間誰でも物を食べれば排泄するものであり排泄後の後始末はシャワートイレでない場合ペイパーを何重にも折り重ね汚れが無くなるまで何度も繰り返して拭き取るのであり特にシャワー式に慣れている人は不潔不快極まりなく皆我慢をしているのである。
【０００６】今でも先進国である筈の外国の高級と称されるホテルでもシャワートイレの設備がなされてないのが多く美味しい物を食べて観光してもトイレ後の不快を我慢している為に楽しさ半減なのである。
【０００７】特にシャワートイレに慣れた若い女性に多い便秘症は学校や出先のトイレ事情で長い時間排便を我慢する為に直腸で水分が吸収され便が硬くなり排便が困難になりそこに次々便が溜まりこれを無理に出すために力み、これが原因で各種の痔疾患が多いのである。
【０００８】又シャワートイレがある程度普及した今では少くなくなったのであるが排便後の肛門周囲の汚れが原因の皮膚疾患から痔ろう等他各種の大病まで及ぶのである。
【０００９】又ある日突然災害に遭い集団生活を強いられた者に必ず発生する大問題は上下水道管の破壊によるトイレの問題なのである。排泄物を流すことも出来ず溜まり放題になりその常態を見て排便どころではなくなり食べ物を制限し排泄を我慢する為ここでも又便秘に陥るのである。
【００１０】それでも他人の済ませた物の上に用を済ませるのであるが後始末の不完全や他人に物と混ざりあった不潔が元で感染症、伝染病が発生するのであるが我慢をして無理して何とか用を済ませた後の始末を清潔に出来れば感染症を防げるのである。
【００１１】便秘になり排泄が困難のときは本考案の手動式シャワーで肛門の括約筋を手で握リ調整出来る好みの水圧で刺激を与えると直腸の活動が活発になり楽に排泄できるのである。
【００１２】又痔の手術で肛門の括約筋を切り取られた人は更に悲惨で出口の括約筋がないために健常者は汚れない臀部まで便が広く付着し充分に拭き取れず紙を厚くして何度も拭き取りを繰り返すもので不経済でもあり不潔不衛生不快に悩まされるのであり排便前にシャワーで濡らせば便の付着も少なくて済み後処理も紙で拭きとるよりも簡単に少量の紙で水分を吸い取るだけで済むものである。
【考案の概要】
【００１３】日本だけでなく排泄物での不潔が起因する感染症の難問題は全世界の共通の課題なのである。
【００１４】不潔、便秘が引き起こす感染症や消化器系統の各難病は本考案のシャワートイレは水があれば手動式で電気がなくとも時と使用場所を選ばず女性のビデの問題も含み使用の仕方は自由で各排泄後の後始末の清潔保持と痔疾患等各種難病対策を鑑み考案したものである。
【００１５】［０００９］で述べた通り突然の集団生活で強いられる不自由で生じる難問の入浴出来ず不潔を長い時を我慢するのであるが特に女性の場合、排泄周りが清潔に出来れば入浴が出来なくとも永い間、在る程度我慢ができるのである。
【課題を解決する手段】
【００１６】手動式で水があれば電気が無くとも時と場所を選ばず使用するために本考案は持ち歩けるように小型に折りたためる柔らかポリ製水タンク（他各種小型に出来る柔らか製品容器）にして水タンクを手で握り潰し水圧を自由に調整出来伸縮する湾曲弓形に曲げたパイプの先端から的に噴水させ汚れを除去する手段である。
【考案の効果】
【００１７】悩みの便秘解消の為に下剤薬に頼らずとも手で握り潰す水圧で肛門の括約筋に刺激を与えると直腸の動きが活発になり又浣腸効果もあり無理せず自然に楽に排便が出来るのであり各痔疾患、肛門周囲の病気対策にもなり又自由になるタンクの握り方で水圧の調整で汚れを除去する為に清潔に出来感染症対策になりコンパクトに収納できるため荷物にならず各出先のシャワ−トイレの完備されていない外国等の観光旅行にも手軽に携帯でき排泄の不快が解消出来、ペイパーの使用が小量で済み、清潔になるため全世界の公衆衛生的にも経済的にも計り知れない多大の貢献ができるのである。
【実用新案登録請求の範囲】
【００１８】握り潰せる柔らかポリ水容器（各種たためる、又握り潰せる柔らか製品）と弓形湾曲した伸縮するパイプに固定ガイドを取り付け螺旋ホースで構成するもので超小型にたためるためものである。
【図面の簡単な説明】
【００１９】
【図１】全体図
【図２】柔らか水タンクを手で握り潰し噴水させた図
【図３】臀部にガイドで固定し噴水する的を定めた図
【符号の簡単な説明】
【００２０】１    柔らかポリ製水タンク
２    タンク内の水
３    ポリタンクキャプ
４    キャプに取り付けた螺旋パイプ
５    伸縮湾曲弓形パイプ
６    パイプ先端噴水口
７    可動式固定ガイド
８    肛門
９    臀部
１０  右手
１１  噴水
【図１】
0003171289.tif 000003
【図２】
0003171289.tif 000004
【図３】
0003171289.tif 000005
【手続補正書】
【提出日】平成23年6月16日(2011.6.16)
【手続補正１】
【補正対象書類名】実用新案登録請求の範囲
【補正対象項目名】全文
【補正方法】変更
【補正の内容】
【実用新案登録請求の範囲】
【請求項１】
柔らかで小さく折りたためるポリ製水タンクと、ねじ式で容器蓋に取り付けた伸縮できるＬ形、又は弓形パイプに取り付けられ、臀部に当接させることで噴水口を的に固定するステイと、パイプと水タンクの間に取り付けられ、ホースと、パイプを自由に動かせるようにしたホースを備えた事を特徴とする超小型携帯型手動式シャワートイレ
【手続補正書】
【提出日】平成23年8月5日(2011.8.5)
【手続補正１】
【補正対象書類名】実用新案登録請求の範囲
【補正対象項目名】全文
【補正方法】変更
【補正の内容】
【実用新案登録請求の範囲】
【請求項１】
柔らかで小さく折りたためるポリ製水タンクと、ねじ式で容器蓋に取り付けた伸縮できるＬ形、又は弓形パイプに取り付けられ、臀部に当接させることで噴水口を的に固定するステイと、パイプと水タンクの間に取り付けパイプを自由に動かせるようにしたホースを備えた事を特徴とする超小型携帯型手動式シャワートイレ
【手続補正２】
【補正対象書類名】明細書
【補正対象項目名】００２０
【補正方法】変更
【補正の内容】
【００２０】１    柔らかポリ製水タンク
２    タンク内の水
３    ポリタンクキャプ
４    キャプに取り付けた螺旋ホース
５    伸縮湾曲弓形パイプ
６    パイプ先端噴水口
７    可動式固定ガイド
８    肛門
９    臀部
１０  右手
１１  噴水